(57)【要約】【課題】デジタルサイネージのような電子看板を視聴する複数の視聴者に対して適切なコンテンツを提供することの可能なコンテンツ表示装置、その制御方法及びプログラムを提供すること。【解決手段】コンテンツ表示装置に分割された画面を表示し、複数の視聴者がどの画面を視聴しているのかを解析する。最も視聴されている画面を特定し、当該画面を拡大表示する。また、視聴者の性別や年代と天候データからより適切なコンテンツを表示させる。【選択図】図１１
2012134836.tif 000002
【特許請求の範囲】
【請求項１】
広告のためのコンテンツを表示可能なコンテンツ表示装置であって、
前記コンテンツを記憶する記憶手段と、
前記記憶手段からジャンルの異なる複数のコンテンツを取得し、取得した複数のコンテンツを表示する表示手段と、
前記表示手段によって表示されたコンテンツのうち、最も多くのユーザに視聴されているコンテンツを特定する特定手段とを備え、
前記表示手段は、前記特定手段によって特定されたコンテンツを拡大表示することを特徴とするコンテンツ表示装置。
【請求項２】
前記コンテンツ表示装置の設置されている場所の天候データを取得する天候データ取得手段と、
前記コンテンツを視聴するユーザの特性を解析するユーザ特性解析手段とを備え、
前記特定手段は、天候データ取得手段によって取得された天候データと、ユーザ特性解析手段によって解析されたユーザの特定とに基づいて、コンテンツを特定することを特徴とする請求項１に記載のコンテンツ表示装置。
【請求項３】
前記表示手段は、前記特定手段によって特定されたコンテンツを拡大表示する際に、表示領域のうち最も大きな表示領域に拡大表示することを特徴とする請求項１または２に記載のコンテンツ表示装置。
【請求項４】
前記特定手段は、前記コンテンツを視聴するユーザを撮影し、撮影された画像データから解析することで、最も多くのユーザに視聴されているコンテンツを特定することを特徴とする請求項１乃至３のいずれか１項に記載のコンテンツ表示装置。
【請求項５】
前記記憶手段は、前記コンテンツ表示装置と通信可能に接続された管理サーバに備えることを特徴とする請求項１乃至４のいずれか1項に記載のコンテンツ表示装置。
【請求項６】
広告のためのコンテンツを記憶する記憶手段を備え、前記コンテンツを表示可能なコンテンツ表示装置の制御方法であって、
前記コンテンツ表示装置の表示手段が、前記記憶手段からジャンルの異なる複数のコンテンツを取得し、取得した複数のコンテンツを表示する表示ステップと、
前記コンテンツ表示装置の特定手段が、前記表示ステップによって表示されたコンテンツのうち、最も多くのユーザに視聴されているコンテンツを特定する特定ステップとを実行し、
前記表示ステップは、前記特定ステップによって特定されたコンテンツを拡大表示することを特徴とするコンテンツ表示装置の制御方法。
【請求項７】
広告のためのコンテンツを記憶する記憶手段を備え、前記コンテンツを表示可能なコンテンツ表示装置の制御方法をコンピュータに実行させるためのコンピュータに読み取り可能なプログラムであって、
前記コンテンツ表示装置を、
前記記憶手段からジャンルの異なる複数のコンテンツを取得し、取得した複数のコンテンツを表示する表示手段と、
前記表示手段によって表示されたコンテンツのうち、最も多くのユーザに視聴されているコンテンツを特定する特定手段として機能させ、
前記表示手段は、前記特定手段によって特定されたコンテンツを拡大表示することを特徴とするプログラム。
【発明の詳細な説明】
【技術分野】
【０００１】
本発明は、複数の視聴者に対して適切なコンテンツを提供することの可能なコンテンツ表示装置、その制御方法及びプログラムに関する。
【背景技術】
【０００２】
現状、携帯電話に代表されるように、特定の周波数帯域での無線技術を活用した様々な通信システム、サービスが普及している。例えば、電子メール配信、企業HP、ブログなどのコンテンツの提供である。
【０００３】
その中でも近年、デジタルサイネージと呼ばれる広告形態が存在する。デジタルサイネージとは、従来紙媒体で表示を行っていた広告をディスプレイによって行う電子看板のことである。従来の広告は紙媒体に印刷した静止画のみであったが、デジタルサイネージはディスプレイを用いて広告を表示するため、静止画だけでなく動画も扱うことができる。また、表示するデータを変えるだけでよいため、表示内容の把握や管理が容易である。
【０００４】
デジタルサイネージは前述の通りデータの表示を行うため、状況に応じてリアルタイムにコンテンツを提供することができる。特に、ディスプレイにユーザを撮影するためのカメラを設置し、カメラから入力された画像データを解析して、解析したユーザの容姿を元に適切な広告を表示させることもできる。このように、デジタルサイネージによる広告配信は、ユーザに対して柔軟な情報提供を行うことができる。
【０００５】
下記の特許文献１では、電子看板装置に表示される複数のコンテンツの表示期間をまとめて設定可能な仕組みが開示されている。
【先行技術文献】
【特許文献】
【０００６】
【特許文献１】特開２００７−３１０００３号公報
【発明の概要】
【発明が解決しようとする課題】
【０００７】
しかしながら、前述したデジタルサイネージでは、一人のユーザのみを識別して、当該ユーザのみに対して適切な広告を提供することが可能だが、屋外広告のように一度に多くの人が見るような形態であった場合には、対応することができない。つまり、従来のデジタルサイネージでは、一度に複数人のユーザが閲覧する場合には、当該複数人のユーザに対して適切なコンテンツを提供できないという問題があった。
【０００８】
本発明は上記の課題を解決するためになされたもので、本発明の目的は、複数人が閲覧した場合に適切なコンテンツを提供することの可能な仕組みを提供することを目的とする。
【課題を解決するための手段】
【０００９】
上記の目的を達成するために、請求項１に記載のコンテンツ表示装置は、広告のためのコンテンツを表示可能なコンテンツ表示装置であって、前記コンテンツを記憶する記憶手段と、前記記憶手段からジャンルの異なる複数のコンテンツを取得し、取得した複数のコンテンツを表示する表示手段と、前記表示手段によって表示されたコンテンツのうち、最も多くのユーザに視聴されているコンテンツを特定する特定手段とを備え、前記表示手段は、前記特定手段によって特定されたコンテンツを拡大表示することを特徴とする。
【発明の効果】
【００１０】
以上説明したように、本発明によれば、コンテンツ表示装置に表示されたコンテンツのうち、最も注目されているコンテンツに関する情報を提供することができるので、複数人に対して適切なコンテンツを提供することのできる効果を奏する。
【図面の簡単な説明】
【００１１】
【図１】本発明の実施形態におけるコンテンツ表示システム１００の一例を示す模式図である。
【図２】図１に示すコンテンツ表示装置１０１の内部のハードウェア構成の一例を示す模式図である。
【図３】図１に示す管理サーバ１０２の内部のハードウェア構成の一例を示す模式図である。
【図４】図１に示すコンテンツ表示装置１０１及び管理サーバ１０２のモジュール構成の一例を示す模式図である。
【図５】図１に示すコンテンツ表示装置１０１及び管理サーバ１０２による制御方法の処理手順の一例を示すフローチャートである。
【図６】図１に示すコンテンツ表示装置１０１及び管理サーバ１０２による制御方法の処理手順の一例を示すフローチャートである。
【図７】図４のテーブル記憶部に記憶されたコンテンツテーブル７００の一例を示す模式図である。
【図８】図４のテーブル記憶部に記憶された視聴者数集計テーブル８００の一例を示す模式図である。
【図９】図４のテーブル記憶部に記憶されたコンテンツポリシーテーブル９００の一例を示す模式図である。
【図１０】本実施例におけるコンテンツ表示システム１００の概要図である。
【図１１】分割表示画面１１００の一例を示す模式図である。
【図１２】拡大表示画面１２００の一例を示す模式図である。
【図１３】拡大表示画面１３００の一例を示す模式図である。
【発明を実施するための形態】
【００１２】
以下、図面を参照しながら、本発明の実施の形態について説明する。
【００１３】
図１は、本発明の実施形態に係るコンテンツ表示システム１００の構成の一例を示す構成図である。コンテンツ表示システム１００は、コンテンツ表示装置１０１及び管理サーバ１０２から構成されており、コンテンツ表示装置１０１及び管理サーバ１０２はＬＡＮ（Ｌｏｃａｌ  Ａｒｅａ  Ｎｅｔｗｏｒｋ）１０３を介して通信可能に接続されている。
【００１４】
図１のネットワーク上に接続される各種端末あるいはサーバの構成は一例であり、用途や目的に応じて様々な構成例があることは言うまでもない。本実施例では、コンテンツ表示装置１０１と管理サーバ１０２がＬＡＮ１０３を介して通信可能に接続される構成となっているが、コンテンツ表示装置１０１が管理サーバ１０２の機能を含み、コンテンツ表示装置１０１のみで動作する仕組みであってもよい。また、ＬＡＮ１０３は、コンテンツ表示装置１０１と管理サーバ１０２の通信が可能となれば、他の通信形態でもよい。
【００１５】
コンテンツ表示装置１０１は、管理サーバ１０２から送信されたコンテンツを表示するための装置である。コンテンツ表示装置１０１は、コンテンツ表示装置１０１に備えられたカメラによって、コンテンツ表示装置１０１に表示されたコンテンツを視聴するユーザを撮影し、撮影した画像データを管理サーバ１０２に送信する。尚、コンテンツは画像データでも動画データでもよい。
【００１６】
管理サーバ１０２は、コンテンツ表示装置１０１に対して表示させるコンテンツを送信するための装置である。また、コンテンツ表示装置１０１から送信された画像データを受信し、画像データを解析して、解析結果に基づいたコンテンツをコンテンツ表示装置１０１に送信する。
【００１７】
次に、コンテンツ表示装置１０１のハードウェア構成の一例について図２を用いて説明する。
【００１８】
ＣＰＵ２０１は、システムバス２０４に接続される各デバイスやコントローラを統括的に制御する。また、ＲＯＭ２０２あるいは外部メモリ２１１には、ＣＰＵ２０１の制御プログラムであるＢＩＯＳ（Ｂａｓｉｃ  Ｉｎｐｕｔ  ／
Ｏｕｔｐｕｔ  Ｓｙｓｔｅｍ）やオペレーティングシステムプログラム（以下、ＯＳ）や、各サーバ或いは各装置の実行する機能を実現するために必要な後述する各種プログラム等が記憶されている。
【００１９】
ＲＡＭ２０３は、ＣＰＵ２０１の主メモリ、ワークエリア等として機能する。ＣＰＵ２０１は、処理の実行に際して必要なプログラム等をＲＡＭ２０３にロードして、プログラムを実行することで各種動作を実現するものである。
【００２０】
また、入力コントローラ（入力Ｃ）２０５は、キーボード２０９やカメラ２１２、または不図示のマウス等のポインティングデバイスからの入力を制御する。尚、タッチパネルを備えた装置では、後述するＣＲＴディスプレイ（ＣＲＴ）２１０上に入力Ｃ２０５が備えられており、ＣＲＴ２１０上に触れることで各種操作を行うことができる。ビデオコントローラ（ＶＣ）２０６は、ＣＲＴディスプレイ（ＣＲＴ）２１０等の表示器への表示を制御する。表示器はＣＲＴだけでなく、液晶ディスプレイでも構わない。カメラ２１２は、撮影の可能な装置であって、入力Ｃ２０５と接続されている。
【００２１】
メモリコントローラ（ＭＣ）２０７は、ブートプログラム、ブラウザソフトウエア、各種のアプリケーション、フォントデータ、ユーザファイル、編集ファイル、各種データ等を記憶するハードディスク（ＨＤ）やフレキシブルディスク或いはＰＣＭＣＩＡカードスロットにアダプタを介して接続されるＣＦメモリ等の外部メモリ２１１へのアクセスを制御する。
【００２２】
通信Ｉ／Ｆコントローラ（通信Ｉ／ＦＣ）２０８は、ネットワークを介して、外部機器と接続・通信するものであり、ネットワークでの通信制御処理を実行する。例えば、ＴＣＰ／ＩＰを用いたインターネット通信等が可能である。なお、ＣＰＵ２０１は、例えばＲＡＭ２０３内の表示情報用領域へアウトラインフォントの展開（ラスタライズ）処理を実行することにより、ＣＲＴ２１０上での表示を可能としている。また、ＣＰＵ２０１は、ＣＲＴ２１０上の不図示のマウスカーソル等でのユーザ指示を可能とする。
【００２３】
本発明を実現するためのコンテンツ表示装置１０１において実行される各種プログラムは外部メモリ２１１に記録されており、必要に応じてＲＡＭ２０３にロードされることによりＣＰＵ２０１によって実行されるものである。さらに、本発明に係わる前記プログラムが用いるコンテンツ表示装置１０１上の定義ファイル及び各種情報テーブルは外部メモリ２１１に格納されており、これらについての詳細な説明は後述する。
【００２４】
次に、管理サーバ１０２のハードウェア構成の一例について図３を用いて説明する。
【００２５】
ＣＰＵ３０１は、システムバス３０４に接続される各デバイスやコントローラを統括的に制御する。また、ＲＯＭ３０２あるいは外部メモリ３１１には、ＣＰＵ３０１の制御プログラムであるＢＩＯＳ（Ｂａｓｉｃ  Ｉｎｐｕｔ  ／
Ｏｕｔｐｕｔ  Ｓｙｓｔｅｍ）やオペレーティングシステムプログラム（以下、ＯＳ）や、各サーバ或いは各装置の実行する機能を実現するために必要な後述する各種プログラム等が記憶されている。
【００２６】
ＲＡＭ３０３は、ＣＰＵ３０１の主メモリ、ワークエリア等として機能する。ＣＰＵ３０１は、処理の実行に際して必要なプログラム等をＲＡＭ３０３にロードして、プログラムを実行することで各種動作を実現するものである。
【００２７】
また、入力コントローラ（入力Ｃ）３０５は、キーボード３０９や不図示のマウス等のポインティングデバイスからの入力を制御する。尚、タッチパネルを備えた装置では、後述するＣＲＴディスプレイ（ＣＲＴ）３１０上に入力Ｃ３０５が備えられており、ＣＲＴ３１０上に触れることで各種操作を行うことができる。ビデオコントローラ（ＶＣ）３０６は、ＣＲＴディスプレイ（ＣＲＴ）３１０等の表示器への表示を制御する。表示器はＣＲＴだけでなく、液晶ディスプレイでも構わない。
【００２８】
メモリコントローラ（ＭＣ）３０７は、ブートプログラム、ブラウザソフトウエア、各種のアプリケーション、フォントデータ、ユーザファイル、編集ファイル、各種データ等を記憶するハードディスク（ＨＤ）やフレキシブルディスク或いはＰＣＭＣＩＡカードスロットにアダプタを介して接続されるＣＦメモリ等の外部メモリ３１１へのアクセスを制御する。
【００２９】
通信Ｉ／Ｆコントローラ（通信Ｉ／ＦＣ）３０８は、ネットワークを介して、外部機器と接続・通信するものであり、ネットワークでの通信制御処理を実行する。例えば、ＴＣＰ／ＩＰを用いたインターネット通信等が可能である。なお、ＣＰＵ３０１は、例えばＲＡＭ３０３内の表示情報用領域へアウトラインフォントの展開（ラスタライズ）処理を実行することにより、ＣＲＴ３１０上での表示を可能としている。また、ＣＰＵ３０１は、ＣＲＴ３１０上の不図示のマウスカーソル等でのユーザ指示を可能とする。
【００３０】
本発明を実現するための管理サーバ１０２において実行される各種プログラムは外部メモリ３１１に記録されており、必要に応じてＲＡＭ３０３にロードされることによりＣＰＵ３０１によって実行されるものである。さらに、本発明に係わる前記プログラムが用いる管理サーバ１０２上の定義ファイル及び各種情報テーブルは外部メモリ３１１に格納されており、これらについての詳細な説明は後述する。
【００３１】
次に、コンテンツ表示装置１０１及び管理サーバ１０２のモジュール構成を示す機能構成図について、図４を用いて説明する。尚、図４の各種端末あるいはサーバのモジュール構成は一例であり、用途や目的に応じて様々な構成例があることは言うまでもない。例えば、コンテンツ表示装置１０１のみで構成される場合には、下記に示す管理サーバ１０２の各種モジュール構成はコンテンツ表示装置１０１が含む。
【００３２】
コンテンツ表示装置１０１は、画面表示部４０１、送受信部４０２、及び画像撮影部４０３を備える。
【００３３】
画面表示部４０１は、各種コンテンツを表示するためのモジュールである。画面表示部４０１は、送受信部４０２により受信した複数のコンテンツをユーザに対して閲覧可能に表示させる。
【００３４】
送受信部４０２は、管理サーバ１０２と各種データを送受信するためのモジュールである。例えば、管理サーバ１０２から送信されたコンテンツや、画像撮影部４０３において撮影された画像データを送受信する。
【００３５】
画像撮影部４０３は、コンテンツ表示装置１０１に備えられたカメラ２１２を制御して、撮影を行うためのモジュールである。撮影した画像データは送受信部４０２によって管理サーバ１０２に送信される。
【００３６】
次に、管理サーバ１０２は、テーブル記憶部４１１、コンテンツ記憶部４１２（記憶手段）、画像データ解析部４１３、コンテンツ決定部４１４、及び天候データ取得部４１５を備える。また、テーブル記憶部４１１には、コンテンツテーブル７００、視聴者数集計テーブル８００、及びコンテンツポリシーテーブル９００が記憶されている。
【００３７】
ここで、本実施形態においては、図４のテーブル記憶部４１１及びコンテンツ記憶部４１２が、例えば図３に示す外部メモリ３１１に構成される（一旦、ＲＡＭ３０３に構成された後に外部メモリ３１１に構成される場合も含む）。
【００３８】
まず、図４のテーブル記憶部４１１に記憶されるコンテンツテーブル７００（図７参照）について説明する。コンテンツテーブル７００は、コンテンツＩＤ７０１、及び気温７０２から構成される。コンテンツＩＤ７０１は、コンテンツの種類ごとに一意に割り振られた識別情報である。気温７０２は、気温に応じて表示するコンテンツを変更するためのデータである。コンテンツＩＤ７０１と気温７０２に対応する各コンテンツには、コンテンツ表示装置１０１に表示すべきコンテンツへのリンクを格納する。本実施例では、コンテンツはコンテンツ記憶部４１２に記憶されているため、リンクを格納する形式としているが、コンテンツ自体を格納する形態でもよい。
【００３９】
次に、図４のテーブル記憶部４１１に記憶される視聴者数集計テーブル８００（図８参照）について説明する。視聴者数集計テーブル８００は、画面名８０１、視聴者数８０２、及び表示優先順位８０３から構成される。画面名８０１は、コンテンツ表示装置１０１に９分割で表示された画面のうちの１つの画面名を示す。視聴者数は、当該画面名８０１を視聴するユーザの数を示すデータである。表示優先順位８０３は、視聴者の傾向から決定される優先順位を示すデータである。
【００４０】
次に、図４のテーブル記憶部４１１に記憶されるコンテンツポリシーテーブル９００（図９参照）について説明する。コンテンツポリシーテーブル９００は、コンテンツＩＤ９０１、及び対象ユーザ９０２から構成される。コンテンツＩＤ９０１は、コンテンツＩＤ７０１に対応するデータである。対象ユーザ９０２は、コンテンツＩＤ９０１に対応してターゲットとなるユーザを示すデータである。
【００４１】
以上がテーブル記憶部４１１に記憶された各種テーブル構成の一例の説明である。テーブルの構成はこれに限らない。モジュール構成の説明に戻る。
【００４２】
コンテンツ記憶部４１２は、コンテンツ表示装置１０１に表示させるコンテンツのデータを記憶するモジュールである。管理サーバ１０２は、コンテンツ記憶部４１２に記憶されたコンテンツを取得して、コンテンツ表示装置１０１に送信する。
【００４３】
画像データ解析部４１３は、コンテンツ表示装置１０１から送信された画像データを解析するためのモジュールである。画像データ解析部４１３によって解析された結果によって、コンテンツ表示装置１０１に表示させるコンテンツが変更される。
【００４４】
コンテンツ決定部４１４は、コンテンツ表示装置１０１に表示させるコンテンツを決定するためのモジュールである。画像データ解析部４１３によって解析された結果に応じて、コンテンツ決定部４１４が表示させるコンテンツを決定する。
【００４５】
天候データ取得部４１５は、外部のサーバ等と通信してコンテンツ表示装置１０１が設置された地点の天候や気温を取得するモジュールである。天候データはコンテンツ表示装置１０１が記憶していてもよいし、外部のサーバ等から取得してもよい。
【００４６】
次に、コンテンツ表示装置１０１及び管理サーバ１０２によって実行される一連の処理手順について説明する。図５は、図１に示すコンテンツ表示装置１０１及び管理サーバ１０２による一連の処理手順の一例を示すフローチャートである。本処理をＣＰＵ２０１またはＣＰＵ３０１に実行させるためのプログラムは外部メモリ２１１または外部メモリ３１１に記憶されており、本処理の実行要求を入力Ｃ２０５または入力Ｃ３０５より受け付けた場合に、ＣＰＵ２０１またはＣＰＵ３０１は、当該プログラムをＲＡＭ２０３またはＲＡＭ３０３にロードし、ロードしたプログラムによる制御に従って本処理を実行することになる。
【００４７】
本実施例では、図１０に示すようにコンテンツ表示装置１０１が屋外に設置され、複数のユーザが視聴する形態を元に説明する。管理サーバ１０２は、コンテンツ表示装置１０１の近くに設置されていてもよいし、遠隔地に設置されていてもよい。また、カメラ２１２は、本実施例ではコンテンツ表示装置１０１に備えられた形態を元に説明するが、ディスプレイに埋め込まれた形態でもよい。
【００４８】
ステップＳ１０１では、コンテンツ表示装置１０１は、管理サーバ１０２に対して表示するコンテンツの取得要求を送信する。
【００４９】
ステップＳ１０２では、管理サーバ１０２は、コンテンツ表示装置１０１から送信されたコンテンツ取得要求を受信し、ステップＳ１０３では、表示するコンテンツをコンテンツ記憶手段から取得する。具体的には、コンテンツテーブル７００のコンテンツＩＤ７０１ごとにコンテンツを取得する。コンテンツＩＤ７０１ごとに異なるコンテンツ（ジャンル）であれば、なんでもよい。
【００５０】
ステップＳ１０４では、管理サーバ１０２は、取得したコンテンツをコンテンツ表示装置１０１に送信する。
【００５１】
ステップＳ１０５では、コンテンツ表示装置１０１は、管理サーバ１０２から送信されたコンテンツを受信し、ステップＳ１０６では、受信したコンテンツを元に図１１に示すような分割表示画面１１００を表示する（表示手段）。本実施例では、分割表示画面１１００を９分割し、９つの異なるコンテンツを表示する。
【００５２】
ステップＳ１０７では、コンテンツ表示装置１０１は、表示された分割表示画面１１００を閲覧するユーザ（視聴者）がいるか否かを判定する。具体的には、コンテンツ表示装置１０１に備えられたカメラ２１２が視聴するユーザを検知したか否かによって判定する。分割表示画面１１００を閲覧するユーザがいると判定した場合には、ステップＳ１０８に処理を進め、そうでない場合には、検知するまで待機する。
【００５３】
ステップＳ１０８では、コンテンツ表示装置１０１は、カメラ２１２を制御して視聴しているユーザを撮影する。この時、１人のユーザのみを撮影するのではなく、視聴している複数のユーザ全員を含めるように撮影を行う。ステップＳ１０９では、撮影した画像データを管理サーバ１０２に送信する。
【００５４】
ステップＳ１１０では、管理サーバ１０２は、コンテンツ表示装置１０１から送信された画像データを受信し、ステップＳ１１１では、受信した画像データを解析する。画像データを解析する場合には、当該画像データに何人のユーザが撮影されているのか、撮影されたユーザが閲覧している画面はどこか、性別は男性か女性か、年齢はどれくらいかといったことを画像処理によって解析する（ユーザ特性解析手段）。
【００５５】
ステップＳ１１２では、管理サーバ１０２は、ステップＳ１１１において解析した結果、どの画面を見ているのかを集計し、テーブル記憶部４１１に記憶された視聴者数集計テーブル８００の視聴者数８０２に対して画面ごとに格納する。
【００５６】
ステップＳ１１３では、管理サーバ１０２は、ステップＳ１１２において更新された視聴者数集計テーブル８００をコンテンツ表示装置１０１に送信する。
【００５７】
ステップＳ１１４では、コンテンツ表示装置１０１は、管理サーバ１０２から送信された視聴者数集計テーブル８００を受信する。
【００５８】
ステップＳ１１５では、コンテンツ表示装置１０１は、受信した視聴者数集計テーブル８００に基づいて、最も視聴者数の多い画面を拡大表示する（特定手段）。具体的には、図１２に示すように１画面に最大化するか、または図１３に示すように一部拡大し、残りの表示領域に対して視聴者数の多い順に画面を表示する。事前の設定によりどちらの表示形式でもよい。図１３のような表示形式であれば、受信した視聴者数集計テーブル８００の表示優先順位８０３を参照して、「１」が格納されているレコードの画面名８０１に対応する画面を拡大する。その後、順に順位が高い画面名８０１を取得し、空いている表示領域に表示する。表示領域がなくなった場合には、終了する。表示領域に表示可能な画面数は、特に問わない。設定により柔軟に変更できるものとする。また、表示するコンテンツは、ステップＳ１０５において受信したコンテンツを表示する。表示が完了したら図６に示すステップＳ１１６に処理を進める。
【００５９】
ステップＳ１１６では、コンテンツ表示装置１０１は、コンテンツが表示されてから所定時間が経過したか否かを判定する。つまり、コンテンツを切り替える時間か否かを判定する。デジタルサイネージにおいては、表示する広告を切り替えることができるので、所定時間の経過を検知した場合には、現在表示されているコンテンツとは別のコンテンツを表示させることで、様々な情報をユーザに提供することができる。所定時間が経過したと判定した場合には、ステップＳ１１７に処理を進め、そうでない場合には、所定時間経過するまで同じコンテンツを表示したまま待機する。
【００６０】
ステップＳ１１７では、コンテンツ表示装置１０１は、コンテンツ表示装置１０１を視聴するユーザがいるか否かを判定する。具体的には、カメラ２１２を制御してコンテンツ表示装置１０１を視聴するユーザがいるか否かを検知する。コンテンツ表示装置１０１を視聴するユーザがいると判定された場合には、更に視聴するユーザに対して情報を提供すべくステップＳ１１８に処理を進め、そうでない場合には、視聴するユーザがいないので本一連の処理を終了する。
【００６１】
ステップＳ１１８では、コンテンツ表示装置１０１は、新たに表示させるコンテンツの取得要求を管理サーバ１０２に対して送信する。
【００６２】
ステップＳ１１９では、管理サーバ１０２は、コンテンツ表示装置１０１から送信されたコンテンツ取得要求を受信し、ステップＳ１２０では、コンテンツ表示装置１０１が設置された場所の天候データを取得する。天候データは外部のサーバから取得してもよいし、コンテンツ表示装置１０１において計測した天候データを使用してもよい。この天候データを使用して、後述するステップＳ１２０において表示するコンテンツを決定する。例えば、気温が３０℃以上であった場合に、熱いお茶の広告を表示したとしても、ユーザの興味を引くことは難しい。つまり、気温が３０℃以上であった場合には、冷たいソフトドリンクに関する広告を表示させ、気温が１５℃未満であった場合には、熱いお茶を表示するような構成にすることでユーザに対して適切な広告配信を行うことが可能となる。
【００６３】
ステップＳ１２１では、管理サーバ１０２は、ステップＳ１１９において取得した天候データと、図５のステップＳ１１１において解析された結果とに基づいて、新しく表示すべきコンテンツを決定する。具体的には、まず図５のステップＳ１１１において解析された結果、現在コンテンツ表示装置１０１を視聴しているユーザの性別と年齢（ユーザの特性）を集計する。集計した結果に応じて、テーブル記憶部４１１に記憶されたコンテンツポリシーテーブル９００から表示するコンテンツＩＤ９０１を特定する。例えば、２０代から３０代の男性が多く視聴していると解析された場合には、コンテンツポリシーテーブル９００の対象ユーザ９０２の「男性」と「２０代〜３０代」にチェックがなされているコンテンツＩＤ９０１である「Ｃ００４」を特定する。そして、コンテンツテーブル７００を参照し、特定したコンテンツＩＤ９０１と天候データから表示するコンテンツを特定する。前述した例でいうと特定したコンテンツＩＤ９０１に対応するコンテンツＩＤ７０１のレコードをコンテンツテーブル７００から特定する。「Ｃ００４」であるのでコンテンツテーブル７００の４行目である。次に、天候データが例えば「３２℃」であった場合、特定した「Ｃ００４」のレコードと、気温７０２のうち「３０℃以上」のレコードが交わるセルに格納されたコンテンツを特定する。この場合で言えば、「コンテンツ４−１」が特定される。このようにして、視聴しているユーザの傾向と、天候データとから表示するコンテンツを特定する。特定するコンテンツは複数あってもよい。例えば、コンテンツポリシーテーブル９００の対象ユーザ９０２の「男性」と「２０代〜３０代」にチェックがなされているコンテンツＩＤ９０１である「Ｃ００１」、「Ｃ００４」、「Ｃ００７」、「Ｃ００９」といった複数のコンテンツＩＤ９０１を特定し、当該コンテンツＩＤ９０１ごとに表示すべきコンテンツを特定してもよい。
【００６４】
ステップＳ１２２では、管理サーバ１０２は、特定されたコンテンツを取得し、ステップＳ１２３では、取得したコンテンツをコンテンツ表示装置１０１に送信する。
【００６５】
ステップＳ１２３では、コンテンツ表示装置１０１は、管理サーバ１０２から送信されたコンテンツを受信し、ステップＳ１２５では受信したコンテンツを表示する。表示形態は図１２に示すような形態でもよいし、図１３に示すような形態でもよい。
【００６６】
以上説明したように、本発明によれば、コンテンツ表示装置に表示されたコンテンツのうち、最も注目されているコンテンツに関する情報を提供することができるので、複数人に対して適切なコンテンツを提供することのできる効果を奏する。
【００６７】
以上、実施形態例を詳述したが、本発明は、方法、プログラムもしくは記録媒体等としての実施態様をとることが可能である。
【００６８】
また、本発明におけるプログラムは、各処理方法をコンピュータが実行可能（読み取り可能）なプログラムであり、本発明の記録媒体は、各処理方法をコンピュータが実行可能なプログラムが記憶されている。
【００６９】
なお、本発明におけるプログラムは、各装置の処理方法ごとのプログラムであってもよい。
【００７０】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読取り実行することによっても、本発明の目的が達成されることは言うまでもない。
【００７１】
この場合、記録媒体から読み出されたプログラム自体が本発明の新規な機能を実現することになり、そのプログラムを記憶した記録媒体は本発明を構成することになる。
【００７２】
プログラムを供給するための記録媒体としては、例えば、フレキシブルディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等を用いることができる。
【００７３】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００７４】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００７５】
また、本発明は、複数の機器から構成されるシステムに適用しても、１つの機器からなる装置に適用してもよい。
【００７６】
また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【００７７】
さらに、本発明を達成するためのプログラムをネットワーク上のサーバ，データベース等から通信プログラムによりダウンロードして読み出すことによって、そのシステムあるいは装置が、本発明の効果を享受することが可能となる。
【００７８】
なお、上述した各実施形態およびその変形例を組み合わせた構成も全て本発明に含まれるものである。
【符号の説明】
【００７９】
１００  コンテンツ表示システム
１０１  コンテンツ表示装置
１０２  管理サーバ
１０３  ネットワーク
【図１】
2012134836.tif 000003
【図２】
2012134836.tif 000004
【図３】
2012134836.tif 000005
【図４】
2012134836.tif 000006
【図５】
2012134836.tif 000007
【図６】
2012134836.tif 000008
【図７】
2012134836.tif 000009
【図８】
2012134836.tif 000010
【図９】
2012134836.tif 000011
【図１０】
2012134836.tif 000012
【図１１】
2012134836.tif 000013
【図１２】
2012134836.tif 000014
【図１３】
2012134836.tif 000015